(57)【要約】【課題】スイッチの誤動作を解消すること。【解決手段】機器運転操作部を有するパネル１と所定間隙隔てられ取付けボス７で結合された電装基板２と、この電装基板２に設けられたスイッチ３の上部に設けられこのスイッチ３をオン・オフするスイッチボス４と、このスイッチボス４の周縁に、パネル１を切り欠いて設けられた切り欠け部の内周の一端から延設されスイッチボス４と結合されたアーム５と、切り欠け部の内周の一端から電装基板２に接するように延設された支持壁１０とを備えている。これによって、スイッチの誤動作がなくなる。【選択図】  図１
2004247195.tif 000002
【特許請求の範囲】
【請求項１】
機器運転操作部を有するパネルと、該パネルと所定間隙隔てられ取付けボスで結合された電装基板と、該電装基板に設けられたスイッチと、該スイッチの上部に設けられこのスイッチをオン・オフするスイッチボスと、該スイッチボスの周縁に前記パネルを切り欠いて設けられた切り欠け部と、該切り欠け部の内周の一端から延設され前記スイッチボックスと結合されたアームと、前記切り欠け部の内周の一端から前記電装基板に接するように延設された支持壁とを備えたスイッチの誤操作防止装置。
【請求項２】
切り欠け部の内周端に沿い且つ支持壁と連結した支持補助壁を備えた請求項１記載のスイッチの誤操作防止装置。
【請求項３】
機器運転操作部を有するパネルと、該パネルと所定間隙隔てられ取付けボスで結合された電装基板と、該電装基板に設けられたスイッチと、該スイッチの上部に設けられこのスイッチをオン・オフするスイッチボスと、該スイッチボスの周縁に前記パネルを切り欠いて設けられた切り欠け部と、前記スイッチボスから延設されたアームと、該アームと結合されると共に前記電装基板と固定されるＬ字形状の支持壁とを備えた請求項１記載のスイッチの誤操作防止装置。
【発明の詳細な説明】
【０００１】
【発明の属する技術分野】
本発明は機器の運転操作において、誤操作を防ぐスイッチの誤操作防止装置に関するものである。
【０００２】
【従来の技術】
従来の機器運転操作部の主な構成及び作用を図６に示す。図６において、機器外装を構成するパネル１と、そのパネル１に取付ける機器操作用の電装基板２上のスイッチ３を押して入力操作を行う、パネル１とは独立したスイッチボス４と、そのスイッチボス４とパネル１とを一体化するアーム５と、パネル１のスイッチ構成部６（前記スイッチボス４と前記アーム５からなる）周囲の任意の位置に設けた電装基板２面に対して垂直かつ接する取付けボス７とを備え、電装基板２とはその取付けボス７を介してネジ８により取付けられていた。また、電装基板２上のスイッチ３とスイッチボス４との入力するための変位量を規制しているのは、任意の位置と個数で設けた前記取付けボス７に依存していた。
【０００３】
次に作用において、機器運転をする際にスイッチボス４を矢視方向に押し操作を行い、その真下に位置する所に設けられた電装基板２上のスイッチ３が押されて入力する。その際、アーム５とパネル１との接点である、スイッチボス４を押し操作した際の応力加重点を支点にスイッチ３が入力する変位量だけ円弧運動を行う。
【０００４】
また、パネルの外側に別部品でカバーを設けてスイッチボスとの連結させずに完全に独立させ、連動性をなくした構成もある（例えば特許文献１参照）。
【０００５】
【特許文献１】
特開平０５−３４７１１３号公報
【０００６】
【発明が解決しようとする課題】
しかしながら、前記従来の構成では、機器運転をする際の押し操作をすべき本来のスイッチボスを押された場合は何ら問題はないが、スイッチボス以外のパネルの一部が誤って押された場合、意図に反して電装基板のスイッチが入ってしまう虞があった。
【０００７】
【課題を解決するための手段】
上記課題を解決するために本発明のスイッチの誤操作防止装置は、機器運転操作部を有するパネルと、該パネルと所定間隙隔てられ取付けボスで結合された電装基板と、該電装基板に設けられたスイッチと、該スイッチの上部に設けられこのスイッチをオン・オフするスイッチボスと、該スイッチボスの周縁に前記パネルを切り欠いて設けられた切り欠け部と、該切り欠け部の内周の一端から延設され前記スイッチボックスと結合されたアームと、前記切り欠け部の内周の前記一端から前記電装基板に接するように延設された支持壁とを備えたものである。
【０００８】
本発明によれば、スイッチボス以外のパネルの一部が押されても、スイッチボスが変位することはなく、したがってスイッチがいつの間にか入ってしまうということは回避される。
【０００９】
【発明の実施の形態】
請求項１に記載の発明は、機器外装の構成部品、かつ機器運転操作部を有するパネルにおいて、そのパネルに取付ける機器操作用の電装基板上のスイッチを押して入力操作を行う、前記パネルとは独立したスイッチボスと、そのスイッチボスとパネルとを一体化するアームと、そのアームとパネルとの接点である、スイッチボスを押し操作した際の応力加重点と、その応力加重点から電装基板面に対して垂直かつ接する支持壁とを備えている。これによって、本来機器運転をする際の押し操作をすべきスイッチボス以外のパネル部分を押し操作された場合、その押し操作による変位量がスイッチボスまで伝達することなく、応力加重点と電装基板との距離が一定に保つことができるので、スイッチボスによって電装基板上のスイッチが押されることはない。
【００１０】
請求項２に記載の発明は、スイッチボスの周囲のパネルに設け、かつ電装基板に対して垂直に接し、支持壁と連結した支持補助壁をさらに備えたものである。これによって、本来機器運転をする際の押し操作をすべきスイッチボス以外のパネル部分を押し操作された場合でも、スイッチボスによって電装基板上のスイッチが押されることはない。
【００１１】
請求項３に記載の発明は、スイッチボスと一体化するアームがパネルとは一体化せずに独立し、応力加重点にてアームとパネルと電装基板とを一括ネジ止めされている。これによって、本来機器運転をする際の押し操作をすべきスイッチボス以外のパネル部分を押し操作された場合でも、前述と同様にスイッチボスによってスイッチが押されることはない。
【００１２】
【実施例】
以下、本発明の実施例について図面を用いて説明する。
【００１３】
（実施例１）
図１は本発明の実施例１の機器運転操作部の構成図、図２はＡ―Ａの断面図である。図１において、機器外装を構成するパネル１に取付ける機器操作用の電装基板２上にはスイッチ３が設けられ、このスイッチ３を押して入力操作を行うパネル１とは独立したスイッチボス４が、パネル１を切り欠いて設けられた切り欠け部４Ａに囲まれて設けられ、さらにスイッチボス４とパネル１とを一体化するアーム５が設けられている。
【００１４】
アーム５とパネル１との接点には、スイッチボス４を押し操作した際曲げ応力が生じ、この点を応力加重点９として、その応力加重点９から電装基板２面に対し、垂直でかつ接するように支持壁１０が設けられ、また、パネル１のスイッチ構成部６の周囲には電装基板２の面に対し垂直でかつ接する取付けボス７が設けられ、そしてこの取付けボス７は電装基板２にネジ８により固定されている。
【００１５】
また、図２において、スイッチボス４と電装基板２上のスイッチ３との距離はＴ、スイッチ３の入力する変位量はＳとし、機器運転をする際の押し操作による変位量ＹがＹ≧Ｔ＋Ｓであればスイッチ３が入力し、Ｙ＜Ｔ＋Ｓであれば入力しない構成とする。
【００１６】
次に作用において、機器運転をする際にスイッチボス４を矢視方向にＹ（≧Ｔ＋Ｓ）なる変位量を有する荷重で押し操作を行い、その真下に位置する所に設けられた電装基板２上のスイッチ３が押されて入力する。その際、アーム５とパネル１との接点である、スイッチボス４を押し操作した際の応力加重点９を支点にスイッチボス４が変位量だけ円弧運動を行っている。
【００１７】
また、本来機器運転をする際の押し操作をすべきスイッチボス４以外のパネル部を誤って押し操作された場合、支持壁１０によりパネル１の応力加重点９と電装基板２との距離Ｒを一定に保つことができるため、その荷重によりスイッチボス４が変位することはなく、したがってスイッチ３が入力することがなくなる。
【００１８】
（実施例２）
図３は本発明の実施例２の機器運転操作部の構成図を示す。図３において、機器外装を構成するパネル１と、そのパネル１に取付ける機器操作用の電装基板２上のスイッチ３を押して入力操作を行う、パネル１とは独立したスイッチボス４と、そのスイッチボス４とパネル１とを一体化するアーム５と、そのアーム５とパネル１との接点である、スイッチボス４を押し操作した際の応力加重点９と、その応力加重点９から前記電装基板２面に対して垂直かつ接する支持壁１０と、その支持壁１０と連結して電装基板２に対して垂直に接し、スイッチボス４の周囲のパネル１に設けた支持補助壁１１と、パネル１のスイッチ構成部６周囲の任意の位置に設けた電装基板２面に対して垂直かつ接する取付けボス７とを備え、電装基板２とはその取付けボス７を介してネジ８により取付けられている。
【００１９】
なお、スイッチボス４と電装基板２上のスイッチ３との距離、スイッチ３の入力する変位量および支持壁１０・支持補助壁１１と電装基板２との距離については、前述の実施例１（図２参照）と同様のため説明を省略する。
【００２０】
本実施例においては、支持壁１０だけでなく支持補助壁１１がスイッチボス４の周囲に設けられているため、あらゆる方向からの押し操作による荷重が加わってもパネル１の応力加重点９と電装基板２との距離Ｒを一定に、且つ一層強固に保つことができるため、その荷重によりスイッチボス４が変位することはなく、したがって、意に反してスイッチ３が入力することが防止される。
【００２１】
（実施例３）
図４は本発明の実施例３の機器運転操作部の構成図、図５はＢ−Ｂの断面図を示す。図４において、機器外装を構成するパネル１と、そのパネル１に取付ける機器操作用の電装基板２上のスイッチ３を押して入力操作を行う、パネル１とは独立したスイッチボス４と、そのスイッチボス４と一体化してパネル１とは独立したアーム５と、そのアーム５・パネル１・電装基板２とを一括して電装基板２に対して垂直にネジ止めする、パネル１に設けた加重点取付けボス１２と、パネル１のスイッチ構成部６周囲の任意の位置に設けた電装基板２面に対して垂直かつ接する取付けボス７とを備え、電装基板２とはその取付けボス７を介してネジ８により取付けられている。
【００２２】
また、図５において、スイッチボス４と電装基板２上のスイッチ３との距離、スイッチ３の入力する変位量および加重点取付けボス１２からアーム５との距離は前述の実施例１（図２参照）と同様のため説明を省略する。
【００２３】
本実施例においても本来機器運転をする際の押し操作をすべきスイッチボス４以外のパネル部を誤って押し操作された場合、加重点取付けボス１２によりパネル１の応力加重点９と電装基板２との距離Ｒを一定に保つことができ、その荷重によりスイッチボス４が変位することはなく、スイッチ３が不用意に入力することが防止される。
【００２４】
【発明の効果】
以上のように本発明によれば、本来の機器運転をするに際し、押し操作をすべき所定外の位置を押し操作された誤操作の場合であってもスイッチが入力することなく、且つ本来の所定の位置による操作の際に対しても悪影響を及ぼすことはないので、安全性と操作容易性が一層向上する。
【図面の簡単な説明】
【図１】本発明の実施例１におけるスイッチの誤操作防止装置を示す部分破断斜視図
【図２】同装置のＡ−Ａ線断面図
【図３】本発明の実施例２におけるスイッチの誤操作防止装置を示す部分破断斜視図
【図４】本発明の実施例３におけるスイッチの誤操作防止装置を示す部分破断斜視図の機器運転操作部の構成図
【図５】同装置のＢ−Ｂ線断面図
【図６】従来のスイッチの誤操作防止装置を示す部分破断斜視図
【符号の説明】
１  パネル
２  電装基板
３  スイッチ
４  スイッチボス
５  アーム
７  取付けボス
１０  支持壁
１１  支持補助壁
【図１】
2004247195.tif 000003
【図２】
2004247195.tif 000004
【図３】
2004247195.tif 000005
【図４】
2004247195.tif 000006
【図５】
2004247195.tif 000007
【図６】
2004247195.tif 000008